(57)【要約】【課題】  家族が生活し子供を育てる家は安全でなくてはならないがいつ来るか分からない天災や人災に対して無防備である、大地震では倒壊した家の瓦礫に人が埋り直後の火災で火の海となり無残に焼き尽くす、竜巻は家を木葉微塵に吹き飛ばす、日頃の火事はぼやなのに有毒ガスで人が死ぬ、津波では避難できずに流されて死ぬ、堤防で囲まれた町は堤防が災いし天端の高さまで水没する、強盗凶器は逃げ場がないまま殺害される。【解決手段】  地震、竜巻、火事、津波、水没、強盗凶器はいつその被害者になるか分からない、家族から怪我人を出さないために、命を奪われないためには、地震で潰れない、竜巻で飛ばされない、火事で焼けない、津波から守る、水没から脱出できる、凶器をはね除ける堅牢な避難所スライドシェルタを家の内部に設置する。【選択図】図４
2011226227.tif 000002
【特許請求の範囲】
【請求項１】
スライドシェルタは人が避難する居住室と金庫、非常時必需品を入れた保管室からできている、居住室は家の外部に設置し入口だけを家の壁を貫通させて家の中に設置し家の中から外へ出ずに避難できるようにする、保管室は家の中に設置し互いの口は人が支障なく出入りできる間隔を空け対持させて設置し金庫は日常的に使用する、２つの部屋はそれぞれ別の台車に乗せ砕石と鉄筋コンクリートでできた専用の基礎に水平に布設したレール上に乗せる、スライド装置は２つある、１つは保管室を居住室へドッキングさせる装置（１）、もう１つはドッキングした２つの部屋をそのまま家の外へスライドさせる装置（２）である、非常時にスライド装置（１）でドッキングさせ内部でロックすると水と空気が遮断される、ロック装置は上下左右に付いている、繰り返されるドッキングと切り離しでジョイント部分が破損するのを防ぐため強い部材で補強しさらに防水シール材で浸水を防ぐ、居住室の外部に避難路が確保できるときその面に緊急脱出扉を設ける、扉は外圧に強くするため外径よりも内径を小さくし居住室側と扉側の双方の縁は強い部材の枠を付け浸水を防止するシール材を付ける、水没からの脱出は居住室と保管室を一体化させたままスライド装置（２）で家の外部へ移動させ、保管室と居住室のアンカーボルトを回して台車から切り離す、上部が水面に出たことを覗き窓から確認し水没地から脱出のため観視窓を開放し形成てなるスライドシェルタ。
【請求項２】
上記スライドシェルタの居住室を固定したままとし、居住室の台車とレールとスライド装置（２）を付けずに形成してなる請求項１に記載のスライドシェルタ。
【請求項３】
上記スライドシェルタの全体を室内に設置し緊急脱出扉だけを家の壁を貫通させて外へ避難できるようにし形成してなる請求項１〜２いずれかに記載のスライドシェルタ。
【請求項４】
上記のスライドシェルタの居住室を外部の地形を考慮し曲げて形成てなる請求項１〜３いずれかに記載のスライドシェルタ。
【請求項５】
上記スライドシェルタの保管室を固定にし居住室を可働にし形成してなる請求項１〜４いずれかに記載のスライドシェルタ。
【請求項６】
上記スライドシェルタの居住室を数個連結し形成してなる請求項１〜５いずれかに記載のスライドシェルタ。
【請求項７】
上記スライドシェルタを地下又は上空に設置し形成してなる請求項１〜６いずれかに記載のスライドシェルタ。
【請求項８】
上記スライドシェルタが矩形、円形、多角形、上が円弧で下が矩形、平面形が小判形、で形成してなる請求項１〜７いずれかに記載のスライドシェルタ。
【請求項９】
上記スライドシェルタがコンクリート、鉄筋コンクリート、遠心力鉄筋コンクリート、樹脂、金属、で形成してなる請求項１〜８いずれかに記載のスライドシェルタ。
【発明の詳細な説明】
【技術分野】
【０００１】  本発明は、地震、竜巻、火事、津波、水没、強盗、凶器、の危機に直面したとき怪我人と犠牲者を出さなくするスライドシェルタに関するものである。
【背景技術】
【０００２】  激震に見舞われたとき、竜巻がさし迫っているとき、消す手段を失い全てを焼き尽くす地震直後の大火災、海岸の大津波、江戸時代から３ｍも沈下している地域が津波に襲われたとき堤防の天端の深さの水に沈む下町、ゼロｍ地域の言葉はよく聞くものの−３ｍに知らずに住む人は、深い海に沈んで初めて気付いたとき既に手遅れ、最近多い強盗凶器の殺人事件と未曾有の大災害は家の中に要塞が無いために発生し多くの怪我人と多くの死者が出ている。
【先行技術文献】
【特許文献１】
【０００３】  ツナミシェルタ  特開平  １０−１５９３８８  公報
【発明の概要】
【発明が解決しようとする課題】
【０００４】  地震の特性は微動で始まり微動で終わることが殆どで万に一つが激震となり全てを破壊する、したがって初めの微動を無視しないことが明暗を分ける。
見渡すかぎり広がる海沿いの町で揺れてから数分後電柱の上がわずかに出るような津波が来たなら家も人もはるか沖へ流し去る、上記の先行技術に於ける津波シェルタは人の生体学的考慮がなされていない、瞬時に変わる空気溜まりの気圧の変化で鼓膜が破れ肺が潰れ血管内で発生した気泡で血管が詰まり血液の流れが止まったりする。
井戸により江戸時代から３ｍも沈下した下町は大潮のとき堤防に立つと水面が二階の軒先と同じに見える、０ｍ地帯とよく言われるが−３ｍの町もあるここを津波が襲うと堤防の天端まで水を蓄えた巨大な貯水池と化す、下水は止まって町中に逆流し水道はテレメータが切れて盲目となりガスも電気も復旧の目処は立たなくなる。最近多発の殺人事件、鍵を厳重にするだけでは防止できなくなっている。
【課題を解決するための手段】
【０００５】  堅牢なスライドシェルタを家の中に設置して家中で一番居心地がいい安全な避難場所にする、次のようなとき家族が全員避難する、１．地震の揺れがあったとき激震にならないうちに避難する、２．昼間急に夜のように暗くなり風が強くなった竜巻の前兆の広い平野、３．津波地域で大きな揺れがあったとき、４．水没地域で強めの地震があったときさらに水没した時はスライドシェルタを切り離し安全な場所へ避難する、５．不審者が錠を壊して家に侵入しようとしているとき、６．倒壊家屋が出た地震直後の火事は水道が止まって火の海となるので二次避難を考える。
【発明の効果】
【０００６】  スライドシェルタは災害のとき家族全員怪我をせず無事に生き残るためのものである、照明、空調、情報、と簡易トイレを備えていて避難してから保管室をスライドさせ居住室にドッキングさせロックすると２０ｔの大型車が載って後輪でバウンドしても壊れない、風速９０ｍの竜巻にも微動だにしない、２０ｍの水に沈んでも完全に水をシャットアウトし１．０気圧を維持し２時間以上の空気がある、火中にも３０分以上耐え緊急脱出口から外へ出られる、水没したときは家の外までスライドし基礎から遊離して浸水地区から脱出することができる堅牢な要塞で拳銃や刃物も寄せ付けない。寝室と居間の間に設置すれば殆どの危機に対応できる、保管室に日常使う金庫と貴重品、靴、衣類、水、非常食、寝具を豊富に揃えておくことができる。
【発明を実施するための形態】
【０００７】  以下添付図面を参照して本発明の実施の形態を説明し本発明の理解に供する、なお以下の実施の形態は本発明を具体化した一例であって本発明の技術的範囲を限定する性格のものではない。ここに図１は本発明の実施の形態に係る平常時のスライドシェルタの平面図、図２は緊急時の平面図、図３は水没から避難するため屋外へスライドしたときの平面図、図４は平常時のＡ−Ａ断面図、図５は非常時のＢ−Ｂ断面図、図６は水没から避難するため屋外にスライドしたときのＣ−Ｃ断面図、図７は平常時図１のＤ−Ｄ断面図、図８は居住室のＥ−Ｅ断面図、図９は保管室Ｆ−Ｆ断面図、図１０は居住室の車輪付き台車背面図、図１１は保管室車輪付き台車背面図、図１２はＧ−Ｇ断面図、図１３は車輪背面図、図１４はＨ−Ｈ断面図、図１５は保管室ガード平面図、図１６は図１５の右側面図、図１７は図１５の下側と上側の側面図、図１８は居住室固定アンカーボルトと床板、図１９は保管室スライド装置（１）とドッキングした居住室と保管室を屋外へスライドさせる装置（２）、図２０はＩ−Ｉ断面図、図２１は保管室固定アンカーボルト、図２２はドッキング部ロック装置、図２３はドッキング部防水材付き補強材、図２４はロック装置、図２５はＪ−Ｊ断面図、図２６は緊急脱出口の外側、図２７は緊急脱出口の内側、図２８上はＫ−Ｋ断面図、下はＬ−Ｌ断面図、図２９は居住室上部観視窓、図３０はＭ−Ｍ断面図図３１は覗き窓、図３２はＮ−Ｎ断面図である。
【０００８】  本実施の形態に係るスライドシェルタは居住室１を屋外に設置し入口だけを家の壁を貫通させて家の中から出入りできるようにする、平常時保管室２の口は居住室の口と対持させ人が支障なく出入りできる間隔を空けておく、居住室１は図１と図８に示す直角６面体で床１１と天井１２は水平に、側面１３、１４、１５は垂直に設置し、保管室とドッキングする１６は壁を設けない。保管室２は図１と図９に示す直角６面体で床２１、天井２２は水平に設置し、側面２３、２４、２５は垂直に設置し、居住室とドッキングする２６は壁を設けない。居住室１保管室２は家の歪による影響を受けないため家の基礎と縁を切った砕石基礎３と鉄筋コンクリート基礎４の上に設置する、堤防で囲まれた水没地域はドッキングした居住室１と保管室２を屋外へスライドさせるため全体をレール６の上に設置するがほかの災害では居住室１をスライドさせないためレール６とスライド装置（２）と台車７は付けず、付けるのは保管室２部分のみとする、レール６は脱線を防止するため受け台７，８がコンクリート基礎４に触れない深さにし幅も車輪９が横振れしない幅とし両端にはストッパー６１を付ける。保管室２はいつでもスライドできる状態にあるため脱線防止ガード図１５，１６，１７，で防護する、水没地域の居住室１はアンカーボルト１０１でコンクリート基礎４に固定されているが水没時に切り離して避難するときはアンカーボルト１０１と１０２を回して居住室１と保管室２を台車７，８，から切り離す。平常時空けてある居住室１と保管室２の間は家の床と同じ高さにする床板１１１がある保管室２をスライドする時床板１１１を取り外してから保管室（２）をスライドさせる。コンクリートは衝撃に弱いためドッキング部は強い部材で補強して防水シート１２を取り付ける図２３、ドッキング部のロック図２４，２５，は図２２のように上下左右均等に掛ける、避難路が確保できる居住室１の側面には緊急脱出扉１３を設ける、扉１３は外圧に強くするため外径よりも内径を小さくする、扉１３の縁と居住室１側の縁には強い部材の枠を付け浸水防止の防水シールを取り付ける、蝶番１３１、ドアハンドル１３２、鍵と防水蓋１３３を付ける、中からは鍵を使わず開け閉めできるタイプのロックにする、居住室１の側面上部には外の様子が鮮明に見える覗き窓１４を付ける、常に外の様子を観察し次の計画を立てる、水没地域で水没した時は居住室１と保管室２をドッキングさせたまま屋外までスライドさせ居住氏１のアンカーボルト１０１と保管室２のアンカーボルト１０２を回してそれぞれの台車を切り離す、覗き窓１４ら水面を確認し観視窓１５を開放して水没地域から脱出する。
【図面の簡単な説明】
【０００９】
【図１】  平常時平面図
【図２】  非常時平面図
【図３】  水没時平面図
【図４】  平常時Ａ−Ａ断面図
【図５】  非常時Ｂ−Ｂ断面図
【図６】  水没時Ｃ−Ｃ断面図
【図７】  基礎とレールＤ−Ｄ断面図
【図８】  居住室Ｅ−Ｅ断面図
【図９】  保管室Ｆ−Ｆ断面図
【図１０】  車輪付き居住室受台
【図１１】  車輪付き保管室受台
【図１２】  基礎、レール、車輪、受台Ｇ−Ｇ断面図
【図１３】  車輪
【図１４】  Ｈ−Ｈ断面図
【図１５】  保管室ガード平面図
【図１６】  保管室ガード右側面図
【図１７】  保管室ガード手前側、向い側側面図
【図１８】  居住室固定アンカーボルト
【図１９】  （１）保管室スライド装置、（２）居住室＋保管室スライド装置
【図２０】  Ｉ−Ｉ断面図
【図２１】  保管室固定アンカーボルト
【図２２】  ドッキング部ロック装置
【図２３】  ドッキング部防水材付き補強材
【図２４】  ロック装置
【図２５】  Ｊ−Ｊ断面図
【図２６】  居住室緊急脱出扉の外側
【図２７】  居住室緊急脱出扉の内側
【図２８】  （上）Ｋ−Ｋ断面図、（下）Ｌ−Ｌ断面図
【図２９】  居住室上面の観視窓平面図
【図３０】  Ｍ−Ｍ断面図
【図３１】  覗き窓平面図
【図３２】  Ｎ−Ｎ断面図
【符号の説明】
【００１０】１            居住室
１１          居住室下面
１２          居住室上面
１３          居住室前面
１４          居住室左側面
１５          居住室背面
１６          居住室ドッキング面
２            保管室
１１          保管室下面
２２          保管室上面
２３          保管室前面
２４          保管室左側面
２５          保管室背面
２６          保管室ドッキング面
６            レール
６１          ストッパー
７            居住室台車
８            保管室台車
９            車輪
１０１        居住室アンカーボルト
１０２        保管室アンカーボルト
１１１        床板（保管室をスライドさせるとき取りはずす部分）
１２          ジョイント部防水材
１３          緊急脱出扉
１３１        蝶番
１３２        ラッチ式ドアハンドル
１３３        鍵と防水蓋
１４          覗き窓
１５          観視窓
１６          外部電源
１７          ロック装置
１８          ドッキング部補強枠
１９          緊急脱出扉補強枠
２０          観視窓補強枠
２１          防水材
（１）        保管室スライド装置
（２）        居住室＋保管室スライド装置
【図１】
2011226227.tif 000003
【図２】
2011226227.tif 000004
【図３】
2011226227.tif 000005
【図４】
2011226227.tif 000006
【図５】
2011226227.tif 000007
【図６】
2011226227.tif 000008
【図７】
2011226227.tif 000009
【図８】
2011226227.tif 000010
【図９】
2011226227.tif 000011
【図１０】
2011226227.tif 000012
【図１１】
2011226227.tif 000013
【図１２】
2011226227.tif 000014
【図１３】
2011226227.tif 000015
【図１４】
2011226227.tif 000016
【図１５】
2011226227.tif 000017
【図１６】
2011226227.tif 000018
【図１７】
2011226227.tif 000019
【図１８】
2011226227.tif 000020
【図１９】
2011226227.tif 000021
【図２０】
2011226227.tif 000022
【図２１】
2011226227.tif 000023
【図２２】
2011226227.tif 000024
【図２３】
2011226227.tif 000025
【図２４】
2011226227.tif 000026
【図２５】
2011226227.tif 000027
【図２６】
2011226227.tif 000028
【図２７】
2011226227.tif 000029
【図２８】
2011226227.tif 000030
【図２９】
2011226227.tif 000031
【図３０】
2011226227.tif 000032
【図３１】
2011226227.tif 000033
【図３２】
2011226227.tif 000034
【手続補正書】
【提出日】平成22年5月21日(2010.5.21)
【手続補正１】
【補正対象書類名】図面
【補正対象項目名】図１
【補正方法】変更
【補正の内容】
【図１】
2011226227.tif 000035
【手続補正書】
【提出日】平成22年6月14日(2010.6.14)
【手続補正１】
【補正対象書類名】明細書
【補正対象項目名】０００７
【補正方法】変更
【補正の内容】
【０００７】  以下添付図面を参照して本発明の実施の形態を説明し本発明の理解に供する、なお以下の実施の形態は本発明を具体化した一例であって本発明の技術的範囲を限定する性格のものではない。ここに図１は本発明の実施の形態に係る平常時のスライドシェルタの平面図、図２は緊急時の平面図、図３は水没から避難するため屋外へスライドしたときの平面図、図４は平常時のＡ−Ａ断面図、図５は非常時のＢ−Ｂ断面図、図６は水没から避難するため屋外にスライドしたときのＣ−Ｃ断面図、図７は平常時図１のＤ−Ｄ断面図、図８は居住室のＥ−Ｅ断面図、図９は保管室Ｆ−Ｆ断面図、図１０は居住室の車輪付き台車背面図、図１１は保管室車輪付き台車背面図、図１２はＧ−Ｇ断面図、図１３は車輪背面図、図１４はＨ−Ｈ断面図、図１５は保管室ガード平面図、図１６は図１５の右側面図、図１７は図１５の下側と上側の側面図、図１８は居住室固定アンカーボルトと床板、図１９は保管室スライド装置（１）とドッキングした居住室と保管室を屋外へスライドさせる装置（２）、図２０はＩ−Ｉ断面図、図２１は保管室固定アンカーボルト、図２２はドッキング部ロック装置、図２３はドッキング部防水材付き補強材、図２４はロック装置、図２５はＪ−Ｊ断面図、図２６は緊急脱出口の外側、図２７は緊急脱出口の内側、図２８上はＫ−Ｋ断面図、下はＬ−Ｌ断面図、図２９は居住室上部観視窓、図３０はＭ−Ｍ断面図図３１は覗き窓、図３２はＮ−Ｎ断面図、図２及び図４の（３）は潜行走行装置である。
【手続補正２】
【補正対象書類名】明細書
【補正対象項目名】０００８
【補正方法】変更
【補正の内容】
【０００８】  本実施の形態に係るスライドシェルタは居住室１を屋外に設置し入口だけを家の壁を貫通させて家の中から出入りできるようにする、平常時保管室２の口は居住室の口と対持させ人が支障なく出入りできる間隔を空けておく、居住室１は図１と図８に示す直角６面体で床１１と天井１２は水平に、側面１３、１４、１５は垂直に設置し、保管室とドッキングする１６は壁を設けない。保管室２は図１と図９に示す直角６面体で床２１、天井２２は水平に設置し、側面２３、２４、２５は垂直に設置し、居住室とドッキングする２６は壁を設けない。居住室１保管室２は家の歪による影響を受けないため家の基礎と縁を切った砕石基礎３と鉄筋コンクリート基礎４の上に設置する、堤防で囲まれた水没地域はドッキングした居住室１と保管室２を屋外へスライドさせるため全体をレール６の上に設置するがほかの災害では居住室１をスライドさせないためレール６とスライド装置（２）と台車７は付けず、付けるのは保管室２部分のみとする、レール６は脱線を防止するため受け台７，８がコンクリート基礎４に触れない深さにし幅も車輪９が横振れしない幅とし両端にはストッパー６１を付ける。保管室２はいつでもスライドできる状態にあるため脱線防止ガード図１５，１６，１７，で防護する、水没地域の居住室１はアンカーボルト１０１でコンクリート基礎４に固定されているが水没時に切り離して避難するときはアンカーボルト１０１と１０２を回して居住室１と保管室２を台車７，８，から切り離す。平常時空けてある居住室１と保管室２の間は家の床と同じ高さにする床板１１１がある保管室２をスライドする時床板１１１を取り外してから保管室（２）をスライドさせる。コンクリートは衝撃に弱いためドッキング部は強い部材で補強して防水シート１２を取り付ける図２３、ドッキング部のロック図２４，２５，は図２２のように上下左右均等に掛ける、避難路が確保できる居住室１の側面には緊急脱出扉１３を設ける、扉１３は外圧に強くするため外径よりも内径を小さくする、扉１３の縁と居住室１側の縁には強い部材の枠を付け浸水防止の防水シールを取り付ける、蝶番１３１、ドアハンドル１３２、鍵と防水蓋１３３を付ける、中からは鍵を使わず開け閉めできるタイプのロックにする、居住室１の側面上部には外の様子が鮮明に見える覗き窓１４を付ける、常に外の様子を観察し次の計画を立てる、水没地域で水没した時は居住室１と保管室２をドッキングさせたまま屋外までスライドさせ居住室１のアンカーボルト１０１と保管室２のアンカーボルト１０２を回してそれぞれの台車を切り離す、覗き窓１４ら水面を確認し潜行走行装置（３）で障書物を除けながら安全な地域へ避難する。
【手続補正３】
【補正対象書類名】明細書
【補正対象項目名】００１０
【補正方法】変更
【補正の内容】
【００１０】１        居住室
１１      居住室下面
１２      居住室上面
１３      居住室前面
１４      居住室左側面
１５      居住室背面
１６      居住室ドッキング面
２        保管室
１１      保管室下面
２２      保管室上面
２３      保管室前面
２４      保管室左側面
２５      保管室背面
２６      保管室ドッキング面
６        レール
６１      ストッパー
７        居住室台車
８        保管室台車
９        車輪
１０１    居住室アンカーボルト
１０２    保管室アンカーボルト
１１１    床板（保管室をスライドさせるとき取りはずす部分）
１２      ジョイント部防水材
１３      緊急脱出扉
１３１    蝶番
１３２    ラッチ式ドアハンドル
１３３    鍵と防水蓋
１４      覗き窓
１５      観視窓
１６      外部電源
１７      ロック装置
１８      ドッキング部補強枠
１９      緊急脱出扉補強枠
２０      観視窓補強枠
２１      防水材
（１）    保管室スライド装置
（２）    居住室＋保管室スライド装置
（３）    潜行走行装置
【手続補正４】
【補正対象書類名】特許請求の範囲
【補正対象項目名】請求項１
【補正方法】変更
【補正の内容】
【請求項１】
スライドシェルタは人が避難する居住室と金庫、非常時必需品を入れた保管室からできている、居住室は家の外部に設置し入口だけを家の壁を貫通させて家の中に設置し家の中から外へ出ずに避難できるようにする、保管室は家の中に設置し互いの口は人が支障なく出入りできる間隔を空け対持させて設置し金庫は日常的に使用する、２つの部屋はそれぞれ別の台車に乗せ砕石と鉄筋コンクリートでできた専用の基礎に水平に布設したレール上に乗せる、スライド装置は２つある、１つは保管室を居住室へドッキングさせる装置（１）、もう１つはドッキングした２つの部屋をそのまま家の外へスライドさせる装置（２）である、非常時にスライド装置（１）でドッキングさせ内部でロックすると水と空気が遮断される、ロック装置は上下左右に付いている、繰り返されるドッキングと切り離しでジョイント部分が破損するのを防ぐため強い部材で補強しさらに防水シール材で浸水を防ぐ、居住室の外部に避難路が確保できるときその面に緊急脱出扉を設ける、扉は外圧に強くするため外径よりも内径を小さくし居住室側と扉側の双方の縁は強い部材の枠を付け浸水を防止するシール材を付ける、水没からの脱出は居住室と保管室を一体化させたままスライド装置（２）で家の外部へ移動させ、保管室と居住室のアンカーボルトを回して台車から切り離す、網の目に張りめぐらされた電線と密集家屋を廻くぐる潜行走行装置を備え形成してなるスライドシェルタ。
【手続補正５】
【補正対象書類名】図面
【補正対象項目名】図２
【補正方法】変更
【補正の内容】
【図２】
2011226227.tif 000036
【手続補正６】
【補正対象書類名】図面
【補正対象項目名】図４
【補正方法】変更
【補正の内容】
【図４】
2011226227.tif 000037
【手続補正書】
【提出日】平成23年2月21日(2011.2.21)
【手続補正１】
【補正対象書類名】明細書
【補正対象項目名】０００７
【補正方法】変更
【補正の内容】
【０００７】  以下添付図面を参照して本発明の実施の形態を説明し本発明の理解に供する、なお以下の実施の形態は本発明を具体化した一例であって本発明の技術的範囲を制限する性格のものではない、ここに図１は本発明の実施の形態に係る平常時のスライドシェルタの平面図、図２は緊急時の平面図、図３は水没から避難するため屋外へスライドしたときの平面図、図４は平常時のＡ−Ａ断面図、図５は非常時のＢ−Ｂ断面図、図６は水没から避難するため屋外へスライドしたときのＣ−Ｃ断面図、図７は平常時  図１のＤ−Ｄ断面図、図８は居住室のＥ−Ｅ断面図、図９は保管室Ｆ−Ｆ断面図、図１０は居住室と車輪付き台車背面図、図１１は保管室車輪付き台車背面図、図１２はＧ−Ｇ断面図、図１３は車輪背面図、図１４はＨ−Ｈ断面図、図１５は保管室ガード平面図、図１６は図１５の右側面図、図１７は図１５の下側と上側の側面図、図１８は居住室固定アンカーボルトと床板、図１９は保管室スライド装置（１）とドッキングした居住室と保管室を屋外へスライドさせる装置（２）、図２０はＩ−Ｉ断面図、図２１は保管室固定アンカーボルト、図２２はドッキング部ロック装置、図２３はドッキング部防水材付き補強材、図２４はロック装置、図２５はＪ−Ｊ断面図、図２６は緊急脱出口の外側、図２７は緊急脱出口の内側、図２８はＫ−Ｋ断面図、下はＬ−Ｌ断面図、図２９は居住室上部観視窓、図３０はＭ−Ｍ断面図、図３１は覗き窓、図３２はＮ−Ｎ断面図、である。
【手続補正２】
【補正対象書類名】明細書
【補正対象項目名】０００８
【補正方法】変更
【補正の内容】
【０００８】  本実施の形態に係るスライドシェルタは居住室１を屋外に設置し入口だけを家の壁を貫通させて家の中から出入りできるようにする、平常時保管室２の口は居住室の口と対峙させ人が支障なく出入りできる間隔を空けておく、居住室１は図１と図８に示す直角６面体で床１１と天井１２は水平に、側面１１、１４、１５は垂直に設置し、保管室とドッキングする１６は壁を設けない、保管室２は図１と図９に示す直角６面体で床２１、天井２２は水平に設置し、側面２３、２４、２５は垂直に設置し、居住室とドッキングする２５は壁を設けない、居住室１、保管室２は家の歪による影響を受けないため家の基礎と縁を切った砕石基礎３と鉄筋コンクリート基礎４の上に設置する、堤防で囲まれた水没地域はドッキングした居住室１と保管室２を屋外へスライドさせるため全体をレール６の上に設置するがほかの災害では居住室１をスライドさせないためレール６とスライド装置（２）と台車７は付けず、付けるの保管室２部分のみとする、レール６は脱線を防止するため受け台７、８がコンクリート基礎４に触れない深さにし幅も車輪９が横振れしない幅とし両端にはストッパー６１を付ける、保管室２はいつでもスライドできる状態にあるため脱線防止ガード図１５、１６、１７、で防護する、水没地域の居住室１はアンカーボルト１０でコンクリート基礎４に固定されているが水没時に切り離して避難するときはアンカーボルト１０１と１０２を回して居住室１と保管室２を台車７、８、から切り離す、平常時空けてある居住室１と保管室２の間は家の床と同じ高さにする床板１１１がある保管室２をスライドする時床板１１１を取り外してから保管室２をスライドさせる、コンクリートは衝撃に弱いためドッキング部は強い部材で補強して防水シート１２を取り付ける図２３、ドッキング部のロック図２４、２５、は図２２のように上下左右均等に掛ける、避難路が確保できる居住室１の側面には緊急脱出扉１３を設ける、扉１３は外圧に強くするため外径よりも内径を小さくする、扉１３の縁と居住室１側の縁には強い部材の枠を付け浸水防止の防水シールを取り付ける、蝶番１３１、ドアハンドル１３２、鍵と防水蓋１３３を付ける、中からは鍵を使わず開け閉めできるタイプのロックにする、居住室１の側面上部には外の様子が鮮明に見える覗き窓１４を付ける、常に外の様子を観察し次の計画を立てる、水没地域で水没した時は居住室１と保管室２をドッキングさせたまま屋外までスライドさせ居住室１のアンカーボルト１０１と保管室２のアンカーボルト１０２を回してそれぞれの台車を切り離す、覗き窓１４から水面を確認し避難する。
【手続補正３】
【補正対象書類名】明細書
【補正対象項目名】００１０
【補正方法】変更
【補正の内容】
【００１０】  １          居住室
１１        居住室下面
１２        居住室上面
１３        居住室前面
１４        居住室左側面
１５        居住室背面
１６        居住室ドッキング面
２          保管室
２１        保管室下面
２２        保管室上面
２３        保管室前面
２４        保管室左側面
２５        保管室背面
２６        保管室ドッキング面
６          レール
６１        ストッパー
７          居住室台車
８          保管室台車
９          車輪
１０１        居住室アンカーボルト
１０２        保管室アンカーボルト
１１１        床板（保管室をスライドさせるとき取り外す部分）
１２          ジョイント部防水材
１３          緊急脱出扉
１３１        蝶番
１３２        ラッチ式ドアハンドル
１３３        鍵と防水蓋
１４          覗き窓
１５          観視窓
１６          外部電源
１７          ロック装置
１８          ドッキング部補強枠
１９          緊急脱出扉補強枠
２０          観視窓補強枠
２１          防水材
（１）        保管室スライド装置
（２）        居住室＋保管室スライド装置
【手続補正４】
【補正対象書類名】特許請求の範囲
【補正対象項目名】請求項１
【補正方法】変更
【補正の内容】
【請求項１】
スライドシェルタは人が避難する居住室と金庫、非常時必需品を入れた保管室からできており、居住室は家の外部に設置し入口だけを家の壁を貫通させて家の中に設置し家の中から外へ出ずに避難できるようにし、保管室は家の中に設置し互いの出入り口は人が支障なく出入りできる間隔を空け対峙させて設置し金庫は日常的に使用し、２つの部屋はそれぞれ別の台車に乗せ、砕石と鉄筋コンクリートでできた専用の基礎に水平に布設したレール上に乗せ、保管室を居住室へドッキングさせるスライド装置（１）と、ドッキングした２つの部屋をそのまま家の外へスライドさせるスライド装置（２）の２つのスライド装置を備え、非常時にスライド装置（１）で居住室および保管室の出入り口をドッキングさせ内部でロックすると水と空気が遮断されロック装置は上記で入り口の上下左右に付いており、繰り返されるドッキングと切り離しによってジョイント部分が破損するのを防ぐため補強部材で補強しさらに防水シール材で浸水を防ぎ、居住室の外部に避難路が確保できる面に緊急脱出扉を設け、扉は外圧に強くするため外径よりも内径を小さくし居住室側と扉側の双方の縁は補強部材の枠を付けるとともに浸水を防止するシール材を付け、水没からの脱出は居住室と保管室を一体化させたままスライド装置（２）で家の外部へ移動させ、居住室と台車を固定しているアンカーボルト、および保管室と台車を固定しているアンカーボルトを回して居住室および保管室を台車から切り離し、水没からの脱出手段を備え形成してなるスライドシェルタ。
【手続補正５】
【補正対象書類名】図面
【補正対象項目名】図２
【補正方法】変更
【補正の内容】
【図２】
2011226227.tif 000038
【手続補正６】
【補正対象書類名】図面
【補正対象項目名】図４
【補正方法】変更
【補正の内容】
【図４】
2011226227.tif 000039
【手続補正７】
【補正対象書類名】特許請求の範囲
【補正対象項目名】請求項４
【補正方法】変更
【補正の内容】
【請求項４】
上記スライドシェルタの居住室を外部の地形を考慮し曲げて設置し形成してなる請求項１〜３いずれかに記載のスライドシェルタ。
【手続補正８】
【補正対象書類名】特許請求の範囲
【補正対象項目名】請求項８
【補正方法】変更
【補正の内容】
【請求項８】
上記スライドシェルタが矩形、円形、多角形、上が円弧で下が矩形、平面形が小判形、のいずれかで形成してなる請求項１〜７に記載のスライドシェルタ。
【手続補正９】
【補正対象書類名】特許請求の範囲
【補正対象項目名】請求項９
【補正方法】変更
【補正の内容】
【請求項９】
上記スライドシェルタがコンクリート、鉄筋コンクリート、遠心力で余剰水を除去し強度を上げた遠心力鉄筋コンクリート、樹脂、金属、のいずれかで形成してなる請求項１〜８に記載のスライドシェルタ。